(57)【特許請求の範囲】
【請求項１】
シートロールが装着される第１，第２繰出軸を有するシート材の繰出機構と、第１繰出軸によるシート材の繰出が終了する直前に、第２繰出軸に装着されたシートロールの近傍で上記シート材を切断し、このシート材の切断端部を第２繰出軸上のシートロールの周面に接合する切断接合機構とを有する紙継装置において、上記切断接合機構に、第２繰出軸上に装着されたシートロールの直径に対応したシートロールの周面位置を検出する発光部と受光部とからなる光電スイッチを設けるとともに、上記切断接合機構によるシート材の切断操作時に、上記第２繰出軸を挟んでその左右両側に上記発光部と受光部とが位置するように光電スイッチを配設したことを特徴とする紙継装置。
【請求項２】
紙管が装着される第１，第２巻取軸を有するシート材の巻取機構と、第１巻取軸に装着された紙管によるシート材の巻取が終了する直前に、第２巻取軸に装着された紙管の近傍で上記シート材を切断し、このシート材の切断端部を第２巻取軸の紙管の周面に接合する切断接合機構とを有する紙継装置において、上記切断接合機構に、第２巻取軸に装着された紙管の直径に対応した紙管の周面位置を検出する発光部と受光部とからなる光電スイッチを設けるとともに、上記切断接合機構によるシート材の切断操作時に、上記第２巻取軸を挟んでその左右両側に上記発光部と受光部とが位置するように光電スイッチを配設したことを特徴とする紙継装置。
【請求項３】
請求項２記載の紙継装置において、上記第１，第２巻取軸が設置された巻取アームの設置角度を検出する角度検出手段と、この角度検出手段により検出された巻取アームの設置角度および上記光電スイッチにより検出された紙管の周面位置に基づいて紙管の外径を演算する外径演算部と、この外径演算部により演算された紙管の外径に応じてシート材の切断操作時における上記第２巻取軸の回転速度を制御する速度制御部とを備えたことを特徴とする紙継装置。
【発明の詳細な説明】
【０００１】
【発明の属する技術分野】
本発明は、繰出機構から繰り出されて巻取機構によりロール状に巻き取られる紙、プラスチックフイルムまたは包装用ラミネート材等からなるシート材の紙継を自動的に行う紙継装置に関するものである。
【０００２】
【従来の技術】
従来、例えばシート材の繰出部と、この繰出部から繰り出されたシート材に複数色のインクを順次塗布して印刷する印刷版胴を有する印刷ユニットと、最終段の印刷ユニットから導出されたシート材を所定の張力で巻き取る巻取部とを備えた印刷機において、シートロールが装着される一対の繰出軸を有する繰出機構と、一方の繰出軸に装着されたシートロールによるシート材の繰出が終了する直前に、上記シート材を切断するとともに、この切断端部を他方の繰出軸上に装着された新たなシートロールの周面に接合する切断接合機構とを上記繰出部に設けることにより、シート材の繰出を連続して行うことができるように構成された紙継装置が知られている。
【０００３】
上記のように一方の繰出軸によるシート材の繰出が終了する直前に、上記切断接合機構により切断されたシート材の端部を、他方の巻取軸に装着された新たなシートロールの周面に適正状態で巻き付けて接合するには、この新たなシートロールの周面位置と、上記切断接合機構によるシート材の切断位置とを正確に対応させる必要がある。このため、シート材の切断操作時に、上記両繰出軸が設けられた繰出アームを切断位置に揺動変位させる動作に応じ、図５に示すように、上記シートロール６の左右両端部側に位置するように配設された発光部２６と受光部２７からなる光電スイッチによって上記シートロール６の周面位置を検出し、この周面位置が検出された時点で、上記繰出アームの作動を停止させた後、切断接合機構の切断刃を駆動して上記シート材を切断するとともに、この切断端部を新たなシートロール６の周面に接合する紙継を自動的に行うように構成されていた。
【０００４】
【発明が解決しようとする課題】
上記のように発光部２６と受光部２７とからなる光電スイッチによって上記シートロール６の周面位置を検出するように構成した場合には、シートロール６の直径が小さいと、上記繰出アームを切断位置に揺動変位させる際に、上記発光部２６および受光部２７に繰出軸が干渉して損傷する可能性がある。したがって、シートロール６の直径が所定値、例えば１５０ｍｍ以上でなければ、上記切断接合機構による自動紙継を行うことができず、前回の使用時に残った直径が小さいシートロール６を、再使用することができないという問題があった。
【０００５】
また、上記シート材の巻取部に、一対の巻取軸を有する巻取機構と、シート材の切断接合機構とを設け、上記巻取機構の一方の巻取軸によるシート材の巻取が終了する直前に、このシート材を切断接合機構により切断し、その切断端部を、他方の巻取軸に装着された紙管に巻き付けて接合する紙継を適正状態で行うためには、上記紙管の周面位置と、上記切断接合機構によるシート材の切断位置とを正確に対応させる必要がある。上記巻取軸には、種々の外径を有する紙管が装着され、この紙管の外径に応じてその周面位置が変化するため、作業者が紙管の外径を計測し、この外径の入力値に基づいて上記紙管の周面位置と、切断接合機構の作動位置に正確に対応させることが行われていたが、この作業が繁雑であるとともに、入力ミスに起因したシート材の切断ミスまたは上記紙管に対するシート材の接合ミス等が発生し易いという問題があった。
【０００６】
本発明は、上記の点に鑑みてなされたものであり、簡単な構成でシート材の紙継を適正に行うことができる紙継装置を提供することを目的としている。
【０００７】
【課題を解決するための手段】
請求項１に係る発明は、シートロールが装着される第１，第２繰出軸を有するシート材の繰出機構と、第１繰出軸によるシート材の繰出が終了する直前に、第２繰出軸に装着されたシートロールの近傍で上記シート材を切断し、このシート材の切断端部を第２繰出軸上のシートロールの周面に接合する切断接合機構とを有する紙継装置において、上記切断接合機構に、第２繰出軸上に装着されたシートロールの直径に対応したシートロールの周面位置を検出する発光部と受光部とからなる光電スイッチを設けるとともに、上記切断接合機構によるシート材の切断操作時に、上記第２繰出軸を挟んでその左右両側に上記発光部と受光部とが位置するように光電スイッチを配設したものである。
【０００８】
上記構成によれば、第１巻取軸上のシートロールによるシート材の繰出が終了する直前に、上記第１，第２繰出軸が設けられた繰出アームを切断位置に揺動変位させる動作に応じ、上記第２繰出軸を挟んでその左右両側に配設された上記発光部および受光部の間に第２繰出軸が導入されることにより、上記発光部および受光部に上記第２繰出軸が当接することが防止された状態で、上記光電スイッチによりシートロールの周面位置が正確に検出され、この検出データに基づいて上記シート材の切断および接合操作が適正に行われることになる。
【０００９】
請求項２に係る発明は、紙管が装着される第１，第２巻取軸を有するシート材の巻取機構と、第１巻取軸に装着された紙管によるシート材の巻取が終了する直前に、第２巻取軸に装着された紙管の近傍で上記シート材を切断し、このシート材の切断端部を第２巻取軸の紙管の周面に接合する切断接合機構とを有する紙継装置において、上記切断接合機構に、第２巻取軸に装着された紙管の直径に対応した紙管の周面位置を検出する発光部と受光部とからなる光電スイッチを設けるとともに、上記切断接合機構によるシート材の切断操作時に、上記第２巻取軸を挟んでその左右両側に上記発光部と受光部とが位置するように光電スイッチを配設したものである。
【００１０】
上記構成によれば、第１巻取軸上の紙管にシート材を巻き付ける作業が終了する直前に、上記第１，第２巻取軸が設けられた巻取アームを切断位置に揺動変位させる動作に応じ、上記第２巻取軸を挟んでその左右両側に配設された上記発光部および受光部の間に上記第２巻取軸が導入されることにより、上記発光部および受光部に上記第２巻取軸が当接することが防止された状態で、上記光電スイッチにより紙管の周面位置が正確に検出され、この検出データに基づいて上記シート材の切断および接合操作が適正に行われることになる。
【００１１】
請求項３に係る発明は、上記請求項２記載の紙継装置において、上記第１，第２巻取軸が設置された巻取アームの設置角度を検出する角度検出手段と、この角度検出手段により検出された巻取アームの設置角度および上記光電スイッチにより検出された紙管の周面位置に基づいて紙管の外径を演算する外径演算部と、この外径演算部により演算された紙管の外径に応じてシート材の切断操作時における上記第２巻取軸の回転速度を制御する速度制御部とを備えたものである。
【００１２】
上記構成によれば、第１巻取軸上の紙管にシート材を巻き付ける作業が終了する直前に、第２巻取軸に装着された紙管の周面位置が上記光電スイッチにより正確に検出されるとともに、この周面の検出位置と、上記角度検出手段により検出された巻取アームの設置角度とに基づいて上記紙管の外径が正確に演算され、この演算データに基づいて上記第２巻取軸の回転速度が適正に制御されることにより、上記シート材の搬送速度と、第２巻取軸によるシート材の巻取速度とを正確に適合させた状態で、上記第２巻取軸上の紙管にシート材の切断端部を巻き付けて接合する操作が適正に行われることになる。
【００１３】
【発明の実施の形態】
図１および図２は、本発明の実施形態に係るシート材１の紙継装置を備えた印刷機のシート繰出部２を示している。このシート繰出部２には、紙管３にシート材１が巻き付けられることにより形成されたシートロール４からシート材１を繰り出す繰出機構５と、上記シートロール４からのシート材１の繰出が終了する直前に、上記シート材１を切断してその切断端部を新たなシートロール６に接合する切断接合機構７とを備えている。
【００１４】
上記繰出機構５は、フロア上に立設された基台フレーム８と、この基台フレーム８の上端部に支持された水平軸９と、この水平軸９を支点にして回動可能に支持された繰出アーム１０および支持アーム１１と、この繰出アーム１０の両端部に設けられた一対の繰出軸１２，１３と、上記支持アーム１１の両端部に設けられた一対の支持ローラ１４とを備えている。そして、上記繰出軸１２，１３を図外の駆動モータ等によって回転駆動することにより、上記シート材１を所定速度および所定張力で繰り出すように構成されている。
【００１５】
また、上記繰出機構５には、繰出位置にある一方の繰出軸（以下第１繰出軸という）１２に装着されたシートロール４から略全てのシート材１が繰り出されて、このシート材１からの繰出が終了する直前に、上記水平軸９を支点にして繰出アーム１０および支持アーム１１を図１の矢印に示す方向に１８０°旋回させることにより、待機位置にある他方の繰出軸（以下第２繰出軸という）１３を、上記繰出位置に移動させる旋回駆動手段（図示せず）が設けられている。
【００１６】
上記切断接合機構７は、シート材１の搬送方向の上流側部において上記基台フレーム８に隣接した位置に立設された支柱１５と、この支柱１５に設けられた軸受により回転自在に支持された支持軸１６と、この支持軸１６を支点にして揺動可能に支持された左右一対の第１揺動アーム１７と、この第１揺動アーム１７を図１に示す待機位置から図２に示す作動位置に揺動変位させるエアシリンダ等からなる第１駆動手段１８とを備えている。
【００１７】
上記切断接合機構７の第１揺動アーム１７には、図２に示すように、先端部にカッター刃１９が取り付けられた切断アーム２０と、この切断アーム２０を駆動するエアシリンダ等からなる第２駆動手段２１が設けられている。そして上記第２駆動手段２１により切断アーム２０を、第１揺動アーム１７内の退避位置から図２の実線で示す切断位置に揺動変位させることにより、上記待機位置にある第２巻取軸１３上のシートロール６の近傍において、上記カッター刃１９によりシート材１を切断するように構成されている。
【００１８】
また、上記第１揺動アーム１７には、支持軸２２を支点にして揺動自在に支持された第２揺動アーム２３と、この第２揺動アーム２３に回転自在に支持された圧接ローラ２４と、上記第２揺動アーム２３を揺動変位させるエアシリンダ等からなる第２駆動手段２５とが設けられている。そして、この第２駆動手段２５により上記第２揺動アーム２３を揺動変位させることにより、上記シート材１の切断端部を、上記第２繰出軸１３に装着されたシートロール７の周面に圧接し、その周面に設けられた粘着剤層を介して接着するようになっている。
【００１９】
さらに、上記切断接合機構７を構成する左右一対の第１揺動アーム１７には、図３に示すように、発光素子等からなる発光部２６と、受光素子等からなる受光部２７とがブラケットを介して取り付けられ、この発光部２６と受光部２７とにより上記第２繰出軸１３上に装着されたシートロール６の直径に対応したシートロール６の周面位置を検出する光電スイッチ２８が構成されている。上記発光部２６と受光部２７とは、切断接合機構７によるシート材１の切断操作時に、上記第２繰出軸１３を挟んでその左右両側に位置するように配設されている。
【００２０】
すなわち、上記シート材１の切断操作時に、繰出アーム１０を揺動変位させて待機位置にあるシートロール６を繰出位置に移動させる際に、図２に示すように、第１揺動アーム１７を作動位置に揺動変位させることにより、図４に示すように光電スイッチ２８の発光部２６が第２繰出軸１３の一側方側に位置するとともに、受光部２７が第２繰出軸１３の他側方側に位置した状態で待機するように構成されている。
【００２１】
そして、上記発光部２６と受光部２７との間に上記シートロール６が導入されるのに応じ、発光部２６と受光部２７との間における検出光の授受が、第２繰出軸１３上のシートロール６によって遮断されることにより、このシートロール６の周面位置が検出され、この検出信号が図外の制御手段に出力されるようになっている。なお、上記発光素子からなる発光部２６に代え、検出光を反射して受光部２７に照射するミラーを、上記受光部２７に対向させるように配設した構造としてもよい。
【００２２】
上記のようにシートロール４，６が装着される第１，第２繰出軸１２，１３を有するシート材１の繰出機構５と、第１繰出軸１２によるシート材１の繰出が終了する直前に、第２繰出軸１３に装着されたシートロール６の近傍で上記シート材１を切断し、このシート材１の切断端部を第２繰出軸１３上のシートロール６の周面に接合する切断接合機構７とを有する紙継装置において、上記切断接合機構７に、第２繰出軸１３上に装着されたシートロール６の直径に対応したシートロール６の周面位置を検出する発光部２６と受光部２７とからなる光電スイッチ２８を設けるとともに、上記切断接合機構７によるシート材１の切断操作時に、上記第２繰出軸１３を挟んでその左右両側に発光部２６と受光部２７とが位置するように上記光電スイッチ２８を配設したため、上記発光部２６および受光部２７に上記第２繰出軸１３が当接することを防止した状態で、上記発光部２６と受光部２７からなる光電スイッチ２８により上記シートロール６の周面位置を正確に検出し、この検出データに基づいて上記シート材１の切断および接合操作を適正に行うことができる。
【００２３】
すなわち、図５に示す従来例のように、上記光電スイッチ２８を構成する発光部２６および受光部２７を、それぞれ第２繰出軸１３の設置部に対応する位置に配設した場合には、この第２繰出軸１３上に装着された新たなシートロール６の直径が小さいと、上記光電スイッチ２８によりシートロール６の周面位置が検出された後、上記繰出アーム１０の揺動が停止される前に、上記発光部２６および受光部２７に第２繰出軸１３が干渉して光電スイッチ２８が損傷する可能性がある。
【００２４】
これに対して、上記のように第２繰出軸１３を挟んでその左右両側に発光部２６と受光部２７とが位置するように上記光電スイッチ２８を配設した場合には、この光電スイッチ２８によりシートロール６の周面位置が検出された後、上記繰出アーム１０の揺動が停止されるまでの間に、上記発光部２６および受光部２７に第２繰出軸１３が干渉するのを防止することができる。したがって、上記シートロール６の直径が所定値、例えば１５０ｍｍ未満であっても、上記光電スイッチ２８が損傷する等の問題を生じることなく、上記切断接合機構７による自動紙継を行うことができ、前回の使用時に残った直径が小さいシートロール６を再使用できるという利点がある。
【００２５】
図６および図７は、本発明の実施形態に係るシート材１の紙継装置を備えた印刷機のシート巻取部３１を示している。このシート巻取部３１には、紙管３２にシート材１を巻き付けることによりシートロール３３を形成する巻取機構３４と、この巻取機構３４によるシート材１の巻取が終了する直前に、上記シート材１を切断して新たな紙管３２に接合する切断接合機構３５とを備えている。
【００２６】
上記巻取機構３４は、フロア上に立設された基台フレーム３６と、この基台フレーム３６の上端部に支持された回転軸３７と、この回転軸３７を支点にして回動可能に支持された巻取アーム３８および支持アーム３９と、上記巻取アーム３８の両端部に設けられた一対の巻取軸４０，４１と、上記支持アーム３９の両端部に設けられた一対の支持ローラ４２，４２とを備えている。そして、上記巻取軸４０，４１を図外の駆動モータ等によって回転駆動することにより、シート材１をロール状に巻き取るように構成されている。
【００２７】
また、上記巻取機構３４には、巻取位置にある一方の巻取軸（以下第１巻取軸という）４０によるシート材１の巻取が終了する直前に、上記回転軸３７を回転駆動して巻取アーム３８および支持アーム３９を１８０°旋回させることにより、待機位置にある他方の巻取軸（以下第２巻取軸という）４１を、シート材１の搬送方向の上流側における待機位置から、上記巻取位置に移動させる旋回駆動手段（図示せず）が設けられている。
【００２８】
上記切断接合機構３５は、シート材１の搬送方向の上流側部において上記基台フレーム６に隣接した位置に立設された支柱４３と、この支柱４３に設けられた軸受により回転自在に支持された支持軸４４と、この支持軸４４を支点にして揺動可能に支持された左右一対の第１揺動アーム４５と、この第１揺動アーム４５を図６に示す待機位置から図７に示す作動位置に揺動変位させるエアシリンダ等からなる第１駆動手段４６とを備えている。
【００２９】
また、切断接合機構３５には、上記支持軸４４によって揺動自在に支持された第２揺動アーム４７と、この第２揺動アーム４７の先端部に回転自在に支持された圧接ローラ４８と、上記第２揺動アーム４７を図６示す待機位置から、図７に示す作動位置に揺動変位させて、上記圧接ローラ４８をシート材１の接合位置に移動させることにより、上記第２巻取軸４１に装着された巻付管３２の周面に上記シート材１の切断端部を圧接させて接合するエアシリンダ等からなる第２駆動手段４９とが設けられている。
【００３０】
また、上記切断接合機構３５の第１揺動アーム４７には、図７に示すように、先端部にカッター刃５０が取り付けられた切断アーム５１と、この切断アーム５１を駆動する切断駆動部５２とが設けられている。そして、上記切断アーム５１を、図７の仮想線で示す退避位置から実線で示す切断位置に揺動変位させることにより、上記待機位置にある第２巻取軸４１よりもシート材１の搬送方向の下流側において、上記カッター刃５０によりシート材１を切断するように構成されている。このシート材１の切断端部は、上記第２巻取軸４１に装着された巻付管３２に巻き付けられることにより、その周面に設けられた粘着剤層を介して固着されることになる。
【００３１】
上記切断駆動部５２は、切断アーム５１の基端部に固定された駆動軸５３と、この駆動軸５３と一体に回転する駆動ギア５４と、この駆動ギア５４と歯合する扇形の歯面を有するセクタギヤ５５と、上記第１揺動アーム４５に設けられた支持軸を支点にして上記セクタギヤ５５を揺動変位させるエアシリンダ等からなる第３駆動手段５６とを有し、この第３駆動手段５６の駆動力を上記駆動ギア５４および駆動軸５３に伝達して切断アーム５１を揺動変位させることにより、上記カッター刃５０を所定速度で上記待機位置から切断位置に移動させるように構成されている。
【００３２】
上記カッター刃５０の駆動速度は、上記巻取軸１０によるシート材１の巻取速度よりも速い値に設定されている。また、上記シート材１の切断操作時における第２巻取軸４１の回転速度は、シート材１の巻取速度に対応した値に設定され、上記第２巻取軸４１に装着された紙管３２の周速と、上記巻取部３１におけるシート材１の搬送速度とを略等しくする制御が実行されるようになっている。
【００３３】
さらに、上記切断接合機構３５を構成する左右一対の第１揺動アーム４５には、図８に示すように、発光素子等からなる発光部５６と受光素子等からなる受光部５７がブラケットを介して取り付けられ、この発光部５６および受光部５７により上記第２巻取軸４１に装着された紙管３２の直径に対応した紙管３２の周面位置を検出する光電スイッチ５８が構成されている。上記発光部５６および受光部５７は、切断接合機構３５によるシート材１の切断操作時に、上記第２巻取軸４１を挟んでその左右両側に位置するように配設されている。
【００３４】
すなわち、上記シート材１の切断操作時に、巻取アーム３８を揺動変位させて待機位置にある第２巻取軸４１を巻取位置に移動させる際に、図７に示すように第１揺動アーム４５を作動位置に揺動変位させることにより、光電スイッチ５８の発光部５６が第２巻取軸４１の一側方側に位置するとともに、受光部５７が第２巻取軸４１の他側方側に位置した状態で待機するように構成されている。そして、上記発光部５６および受光部５７の間に、上記第２巻取軸４１が導入されるのに応じ、発光部５６と受光部５７との間における検出光の授受が、第２巻取軸４１上の紙管３２および第２巻取軸４１によって遮断されることにより、この紙管３２の周面位置が検出されるようになっている。
【００３５】
上記光電スイッチ５８の検出信号は、図９に示すように、制御手段５９に出力されるようになっている。また、上記巻取アーム３８を揺動変位させる回転軸３７の回転角度を検出することにより、上記巻取アーム３８の設置角度を検出するポテンショメータ等からなる角度検出手段６０の検出信号が上記制御手段５９に入力される。そして、この制御手段５９には、上記光電スイッチ５８および角度検出手段６０の検出信号に基づき、上記紙管３２の外径を演算する外径演算部６１と、この外径演算部６１の出力信号に応じて上記シート材１の切断時における第２巻取軸４１の回転速度を制御する速度制御部６２とが設けられている。
【００３６】
上記速度制御部６２は、外径演算部６１により演算された紙管３２の外径に基づいて、上記シート材１の搬送速度と、第２巻取軸４１によるシート材１の巻取速度とを正確に適合させた状態で、上記第２巻取軸４１上の紙管３２にシート材１の切断端部を巻き付けて接合する操作が適正に行われるように、上記第２巻取軸４１の回転速度を制御する制御信号を、上記第２巻取軸４１の駆動モータ６３に出力するように構成されている。
【００３７】
上記のように紙管３２が装着される第１，第２巻取軸４０，４１を有するシート材１の巻取機構３４と、第１巻取軸４１に装着された紙管３２によるシート材１の巻取が終了する直前に、第２巻取軸４１に装着された紙管３２の近傍で上記シート材１を切断し、このシート材１の切断端部を第２巻取軸４１の紙管３２の周面に接合する切断接合機構３５とを有する紙継装置において、上記切断接合機構３５に、第２巻取軸４１に装着された紙管３２の直径に対応したその周面位置を検出する発光部５６および受光部５７からなる光電スイッチ５８を設けるとともに、上記切断接合機構３５によるシート材１の切断操作時に、上記第２巻取軸４１を挟んでその左右両側に上記発光部５６と受光部５７とが位置するように光電スイッチ５８を配設したため、上記発光部５６および受光部５７に上記第２巻取軸４１が当接することを防止した状態で、発光部５６および受光部５７からなる光電スイッチ５８により上記紙管３２の周面位置を正確に検出し、この検出データに基づいて上記シート材１の切断および接合操作を適正に行うことができる。
【００３８】
すなわち、上記光電スイッチ５８によりシートロールの周面位置が検出された後、上記巻取アーム３８の揺動が停止されるまでの間に、発光部５６および受光部５７に第２巻取軸４１が干渉するのを防止することができるため、上記紙管３２の種類に応じてその外径が種々変化した場合においても、上記光電スイッチ５８が損傷する等の問題を生じることなく、上記切断接合機構７による自動紙継を適正に行うことができるという利点がある。
【００３９】
また、上記実施形態では、第１，第２巻取軸４０，４１が設置された巻取アーム３８の設置角度を検出する角度検出手段６０と、この角度検出手段６０により検出された巻取アーム３８の設置角度および上記光電スイッチ５８により検出された紙管３２の周面位置に基づいて紙管の外径３２を演算する外径演算部６１と、この外径演算部６１により演算された紙管３２の外径に応じてシート材１の切断操作時における上記第２巻取軸４１の回転速度を制御する速度制御部６２とを設けたため、第１巻取軸４０上の紙管３２にシート材１を巻き付ける作業が終了する直前に、上記光電スイッチ５８により検出されされた紙管３２の周面位置と、上記角度検出手段６０により検出された巻取アーム３８の設置角度とに基づいて上記紙管３２の外径を正確に演算し、この演算データに基づいて上記第２巻取軸４１の回転速度を適正に制御することができる。
【００４０】
したがって、上記シート材１の搬送速度と、第２巻取軸４１によるシート材１の巻取速度とを正確に適合させた状態で、第２巻取軸４１上の紙管３２にシート材１の切断端部を巻き付けて接合する操作を適正に行うことができ、上記搬送速度と巻取速度とが正確に対応していないことに起因して上記接合ミスが発生したり、シート材１の接合部に皺が寄ったりするのを防止できるという利点がある。
【００４１】
【発明の効果】
以上説明したように、請求項１に係る発明は、シートロールが装着される第１，第２繰出軸を有するシート材の繰出機構と、第１繰出軸によるシート材の繰出が終了する直前に、第２繰出軸に装着されたシートロールの近傍で上記シート材を切断し、このシート材の切断端部を第２繰出軸上のシートロールの周面に接合する切断接合機構とを有する紙継装置において、上記切断接合機構に、第２繰出軸上に装着されたシートロールの直径に対応したシートロールの周面位置を検出する発光部と受光部とからなる光電スイッチを設けるとともに、上記切断接合機構によるシート材の切断操作時に、上記第２繰出軸を挟んでその左右両側に上記発光部および受光部が位置するように光電スイッチを配設したため、上記シートロールの直径が小さい場合においても、上記発光部および受光部に上記第２繰出軸に当接することを防止した状態で、上記光電スイッチによりシートロールの周面位置を正確に検出し、この検出データに基づいて上記シート材の切断および接合操作を適正に行うことができるという利点がある。
【００４２】
また、請求項２に係る発明は、紙管が装着される第１，第２巻取軸を有するシート材の巻取機構と、第１巻取軸に装着された紙管によるシート材の巻取が終了する直前に、第２巻取軸に装着された紙管の近傍で上記シート材を切断し、このシート材の切断端部を第２巻取軸の紙管の周面に接合する切断接合機構とを有する紙継装置において、上記切断接合機構に、第２巻取軸に装着された紙管の直径に対応した紙管の周面位置を検出する発光部と受光部とからなる光電スイッチを設けるとともに、上記切断接合機構によるシート材の切断操作時に、上記第２巻取軸を挟んでその左右両側に上記発光部および受光部が位置するように光電スイッチを配設したため、上記発光部および受光部に上記第２巻取軸が当接することを防止した状態で、上記光電スイッチにより紙管の周面位置を正確に検出し、この検出データに基づいて上記シート材の切断および接合操作を適正に行うことができるという利点がある。
【００４３】
また、請求項３に係る発明は、上記第１，第２巻取軸が設置された巻取アームの設置角度を検出する角度検出手段と、この角度検出手段により検出された巻取アームの設置角度および上記光電スイッチにより検出された紙管の周面位置に基づいて紙管の外径を演算する外径演算部と、この外径演算部により演算された紙管の外径に応じてシート材の切断操作時における上記第２巻取軸の回転速度を制御する速度制御部とを設けたため、第１巻取軸上の紙管にシート材を巻き付ける作業が終了する直前に、上記光電スイッチにより検出されされた紙管の周面位置と、上記角度検出手段により検出された巻取アームの設置角度とに基づいて上記紙管の外径を正確に演算し、この演算データに基づいて上記第２巻取軸の回転速度を適正に制御することにより、シート材の接合部に皺が寄る等の弊害を防止できるという利点がある。
【図面の簡単な説明】
【図１】本発明の実施形態に係る紙継装置を備えたシート繰出部の構成を示す説明図である。
【図２】切断接合機構の具体的構成を示す説明図である。
【図３】光電スイッチの具体的構成を示す説明図である。
【図４】光電スイッチの具体的構成を示す斜視図である。
【図５】光電スイッチの従来例を示す斜視図である。
【図６】本発明の実施形態に係る紙継装置を備えたシート巻取部の構成を示す説明図である。
【図７】切断接合機構の具体的構成を示す説明図である。
【図８】光電スイッチの具体的構成を示す説明図である。
【図９】制御手段の具体的構成を示すブロック図である。
【符号の説明】
１  シート材
３，３２  紙管
４，６  シートロール
５  繰出機構
７，３５  切断接合機構
１２  第１繰出軸
１３  第２繰出軸
２６，５６  発光部
２７，５７  受光部
２８，５８  光電スイッチ
３４  巻取機構
４０  第１巻取軸
４１  第２巻取軸
６０  角度検出手段
６１  外径演算部
６２  速度制御部
【図１】
0003954366.tif 000002
【図２】
0003954366.tif 000003
【図３】
0003954366.tif 000004
【図４】
0003954366.tif 000005
【図５】
0003954366.tif 000006
【図６】
0003954366.tif 000007
【図７】
0003954366.tif 000008
【図８】
0003954366.tif 000009
【図９】
0003954366.tif 000010